(57)【要約】  【課題】  コストをあげることなく、左右いずれの手によっても撮影操作を行い得る形態とし、かつ左右どちらの手によっても略同様の操作性を確保し、常に良好な操作性を得ることのできる撮影装置を提供する事。  【解決手段】  右手姿勢とこれに対して天地逆転した左手姿勢での撮影が可能な撮像装置であり、操作部材が背面の中央部に対して点対称、もしくは線対称に配置された撮像機器において、把持姿勢の違いにより操作部の機能入れ替わることを特徴とする。【選択図】  図10
2012123076.tif 000002
【特許請求の範囲】
【請求項１】
被写体を撮影する撮影装置であって、背面部の縦横の長さよりもレンズ光軸方向の長さが長い形状からなり、右手把持の際の右手姿勢と、同姿勢に対し天地逆転姿勢であって左手把持の際の左手姿勢との二姿勢のいずれか一方で使用される本体部と、上記本体部を右手姿勢としたときに上記本体部の背面から見て右側部に配置され右手によって把持される部分となり上記本体部を左手姿勢としたときには上記本体部の背面から見て左側部に配置され左手によって把持される部分となるグリップ部と上記本体部を右手姿勢としたときに上記本体部の背面から見て左側部に配置され開閉可能な表示部と前記撮影装置を把持する手を設定する設定手段と該設定に基づき画像及び音声データの処理を行う機能を備えた撮影装置において撮影時に使用する操作部が背面部に配置されることを特徴とした撮影装置。
【請求項２】
背面部に配置された前記操作部材は複数のポジションを選択可能な操作子を備えており、該複数のポジションは該背面の中央に対し互いに点対称の位置にあり、前記撮影装置を把持する手を設定する設定手段に基づいて右手把持、左手把持に応じて、前記複数のポジションに対して割り当てられる機能が互いに入れ替わることを特徴とした請求項1に記載の撮影装置。
【請求項３】
背面部に配置された前記操作部材は複数のポジションを選択可能な操作子を備えており、該複数のポジションは、光軸と直交する線にたいして線対称の位置にあり、前記撮影装置を把持する手を設定する設定手段に基づいて右手姿勢、左手姿勢において割り当てられる機能が互いに入れ替わることを特徴とした請求項1に記載の撮影装置。
【請求項４】
前記操作部は複数のボタンを有しており、該複数のボタンは光軸と直交する線にたいして線対称の位置にあり、右手姿勢、左手姿勢において該複数のボタンに対して割り当てられる機能が互いに入れ替わることを特徴とした請求項1に記載の撮影装置。
【請求項５】
前記操作部材は複数のボタンであり、該複数のボタンは該背面の中央に対し互いに点対称の位置にあり、右手姿勢、左手姿勢において、該複数のボタンに対して割り当てられる機能が互いに入れ替わることを特徴とした請求項1に記載の撮影装置。
【請求項６】
前記操作部はスライドスイッチもしくはダイヤルスイッチもしくはシーソースイッチであることを特徴とした請求項２又は請求項３に記載の撮影装置。
【発明の詳細な説明】
【技術分野】
【０００１】
本発明は、操作部材の配置を工夫することで左右いずれの手によっても常に良好な操作性を得られるように構成した撮影装置に関するものである。
【背景技術】
【０００２】
従来の一般的なカメラにおいては、右手によって操作されることを前提とした部材配置がなされた設計となっている。この場合、利き手が左手である使用者であっても右手による操作を強いられることになる。
【０００３】
そこで、左右のいずれの手によっても良好に操作し得るように部材配置を工夫して、使用者の利き手に関らず、常に良好な操作性を確保し得るようにしたカメラについては、例えば特許文献１や特許文献２等によって従来より種々の提案がなされている。
【０００４】
上記特許文献１によって開示されているカメラを図１９に示す。本体部の上面部と下面部との所定の部位にそれぞれレリーズボタンを配置して、カメラ自体を天地逆転した形態で使用し得るように構成している。これにより、使用者は、二つのレリーズボタンのうちのいずれか一方を利き手で操作するように構えることができ、操作性を阻害することなく、左右いずれの手によっても常に同様の操作性を確保することができるというものである。
【０００５】
一方、近年においては、光学像を電気信号に光電変換する撮像素子を有し、この撮像素子によって画像データを取得する形態のいわゆるデジタルカメラやデジタルビデオカメラについて、種々の提案がなされ、また広く実用化されている。
【０００６】
一般的な従来のデジタルカメラにおいては、本体部の背面側に液晶表示装置等の画像表示部を設け、この画像表示部の周縁部近傍に各種の操作部材を配置するような構成となっているのが普通である。ここで、操作部材としては、例えば撮影時におこなう撮影条件等の設定操作や、再生時におこなう画像検索操作等に用いられる押圧式ボタンやＸＹ方向ボタン等である。
【０００７】
このようなデジタルカメラにおいて、左右いずれの手によっても良好な操作性を確保するには、レリーズボタンのみならず、その他の各種操作部材の配置をも工夫する必要がある。
【０００８】
そこで、上記特許文献２によって開示されているカメラを図20に示す。カメラ上面の左右両端近傍にそれぞれレリーズボタンを配設すると共に、画像表示部にはタッチパネルを重ねて配置することで、使用者の使用形態に応じてタッチパネルの操作部領域を左端または右端のいずれか一方への切り換え配置されるように構成している。つまり、右手で右手用のレリースボタンを操作すべく構えた時には、本体部を把持する右手寄りの部位に各種操作部領域が配置され、左手で左手用のレリースボタンを操作すべく構えた時には、本体部を把持する左手寄りの部位に各種操作部領域が配置されるようになっている。これにより、使用者が利き手で本体部を把持したとき、利き手が左右いずれの場合にも同様の操作性を得ることができるというものである。
【先行技術文献】
【特許文献】
【０００９】
【特許文献１】特開２００１−３１８４２１号公報
【特許文献２】特開２００４−３４０９９１号公報
【発明の概要】
【発明が解決しようとする課題】
【００１０】
従来の撮像機器は右手で本体を把持した場合に画像表示部が見えるように背面から見て左側に画像表示部が配置されていることが多い。図１４に示すように、従来の撮像機器で画像表示部を開いた状態で撮像機器本体を左手で把持した場合、左手が画像表示部の一部を覆ってしまう為、左利きの撮影者も表示部を確認するためには右手で撮影せざる得なかった。
【００１１】
また、特許文献１に開示されている発明においては本体の上面と下面にレリーズボタンを配置しているが、一つの機能の為に二つの操作部材を備えなければならず、小型化を阻害し、また、コストアップにもつながっていた。
【００１２】
また、上記特許文献２によって開示されている発明においては、背面側に設けられる画像表示部に操作部領域の配置を自由に切り換えることのできるタッチパネルを用いたものだが、タッチパネルは、押しボタン等の通常の機械的な操作部材と比較すると操作性において劣るという問題点がある。また、タッチパネル自体は、高価なものであることから、これを採用するカメラ自体の製造コストも高価なものになってしまうという問題点がある。
【００１３】
本発明は、上述した点に鑑みてなされたものであって、その目的とするところは、コストをあげることなく、左右いずれの手によっても撮影操作を行い得る形態とし、かつ左右どちらの手によっても略同様の操作性を確保し、常に良好な操作性を得ることのできる撮影機器を提供する事である。
【課題を解決するための手段】
【００１４】
上記目的を達成するために本出願に係る第一の発明は被写体を撮影する撮影装置であって、背面部の縦横の長さよりもレンズ光軸方向の長さが長い形状からなり、右手把持の際の右手姿勢と同姿勢に対し天地逆転姿勢であって左手把持の際の左手姿勢との二姿勢のいずれか一方で使用される本体部と、上記本体部を右手姿勢としたときに上記本体部の背面から見て右側部に配置され右手によって把持される部分となり、上記本体部を左手姿勢としたときには上記本体部の背面から見て左側部に配置され左手によって把持される部分となるグリップ部と、
上記本体部を右手姿勢としたときに上記本体部の背面から見て左側部に配置され開閉可能な表示部と前記撮影装置を把持する手を設定する設定手段と該設定に基づき画像及び音声データの変更処理機能を備えた撮影装置において撮影時に使用する操作部材が背面部に配置されることを特徴とする。
【００１５】
上記目的を達成するために本出願に係る第二の発明は背面部に配置された前記操作部材は背面部に配置された前記操作部材は複数のポジションを選択可能な操作子を備えており、該複数のポジションは該背面の中央に対し互いに点対称の位置にあり、前記撮影装置を把持する手を設定する設定手段に基づいて右手把持、左手把持において該複数のポジションに対して割り当てられる機能が互いに入れ替わることを特徴とした撮影装置。
【００１６】
上記目的を達成するために本出願に係る第三の発明は、第一の発明の撮影装置において、背面部に配置された前記操作部材は複数のポジションを選択可能な操作子を備えており、該複数のポジションは、光軸と直交する線にたいして線対称の位置にあり、前記撮影機器を把持する手を設定する設定手段に基づいて右手姿勢、左手姿勢において割り当てられる機能が互いに入れ替わることを特徴とした撮影装置。
【００１７】
上記目的を達成するために本出願に係る第四の発明は、第一の発明の撮影装置において、前記操作部は複数のボタンを有しており、該複数のボタンは光軸と直交する線にたいして線対称の位置にあり、右手姿勢、左手姿勢において該複数のボタンに対して割り当てられる機能が互いに入れ替わることを特徴とした撮影装置。
【００１８】
上記目的を達成するために本出願に係る第五の発明は、第一の発明の撮影装置において、前記操作部材は複数のボタンであり、該複数のボタンは該背面の中央に対し互いに点対称の位置にあり、右手姿勢、左手姿勢において、該複数のボタンに対して割り当てられる機能が互いに入れ替わることを特徴とした撮影装置。
【００１９】
上記目的を達成するために本出願に係る第六の発明は第二、第三の発明の撮影装置において、該操作部はスライドスイッチもしくはダイヤルスイッチもしくはシーソースイッチであることを特徴とした撮影装置。
【発明の効果】
【００２０】
請求項1に記載の発明によれば、左手撮影時、撮影機器本体を上下回転して使用しても、左手で表示画面を遮ることなく、撮影操作が可能である。
【００２１】
請求項２〜請求項５に記載の発明によれば、左手撮影時においても右手撮影時と同等の操作を行う事が出来る。
【００２２】
以上説明したように、この発明は、撮影装置、詳しくは操作部材の配置を工夫することで左右いずれの手によっても常に良好な操作性を得られるように構成した撮影装置に関するものである。
【図面の簡単な説明】
【００２３】
【図１】本発明の背面斜視図
【図２】本発明の正面斜視図
【図３】本発明の底面斜視図
【図４】本発明のビデオカメラを右手で把持している図
【図５】本発明のビデオカメラを右手で把持している図
【図６】本発明のビデオカメラを右手姿勢にてレンズ面からみた図
【図７】本発明のビデオカメラを右手姿勢にて背面からみた図
【図８】本発明のビデオカメラを左手で把持している図
【図９】本発明のビデオカメラを左手姿勢にした斜視図
【図１０】本発明のビデオカメラを左手で把持している図
【図１１】画像音声処理テーブル
【図１２】スイッチ設定テーブル
【図１３】仕様設定処理フロー
【図１４】従来の撮像機器
【図１５】本発明の撮像機器（第二の形態）斜視図
【図１６】本発明の撮像機器（第二の形態）側面図
【図１７】本発明の撮像機器（第三の形態）斜視図
【図１８】本発明の撮像機器
【図１９】特許文献１の発明
【図２０】特許文献２の発明
【発明を実施するための形態】
【００２４】
［実施例１］
以下、図示の実施の形態によって本発明を説明する。
【００２５】
本実施形態の撮像機器はは、光学像を受けて光電変換することで電気信号として記録するデジタルビデオカメラであって、右手で使用される際の右手姿勢（図４、図５、図６参照）と、この右手姿勢に対して天地逆転した姿勢であって左手で使用される際の左手姿勢（図８、図９、図１０参照）との二つの姿勢のいずれか一方で使用し得るように構成したものである。
【００２６】
図１、図２、図３は、本発明の一実施形態のビデオカメラを示している。このうち、図１は本発明のビデオカメラの外観を示す背面斜視図である。図２は本発明のビデオカメラの外観を示す正面斜視図である、図３は本発明の底面部を示す斜視図である。
【００２７】
なお、以下の説明においては、本発明のビデオカメラ（以下カメラ1）を右手姿勢で使用する際の状態を基本的な姿勢として説明している。したがって、本カメラ１の本体部１０についての各面の名称は図１、図２、図３において上面101、底面201、左側面301、右側面401、レンズ面501、背面601とする。
【００２８】
図１に示すように本体部10は背面部の幅601a、および背面部の高さ601bに比べて光軸方向の距離が長く、光軸方向に略棒状に形成されている。近年のビデオカメラは記録媒体の小型化が進み、このように略棒状の形状が増えてきている。この本体部１０の内部には、電気基板等の主要構成部材（特に図示せず）が配設されており、その外面は外装部材によって覆われている。
【００２９】
図５、図６は右手姿勢における把持状態示す。図５は背面斜視図であり、図６はレンズ面から見た正面図である。本体形状が光軸に沿った略棒状であるため、撮影者はグリップベルト４１１に親指以外の指を挿通し上面をつかみ、手のひらの土手が本体10の右側面401と底面201の稜線にかかるように本体１０を支え親指が背面６０１にくるように把持される。
【００３０】
図１、図１８に示すように右側面301には画像記録のためのメモリーカード３５１の挿抜が可能なカード収納部303とバッテリー361の脱着が可能なバッテリー収納部302を備えている。メモリーカード３５１とバッテリー361はカード収納部303とバッテリー収納部302に夫々図示しない係止機構で係止されている。図１８におけるメモリーカード351とバッテリー361はともに収納途中の図である。該メモリーカード351と該バッテリ361は収納後左側面301に対して同一面もしくは凹になるように収納される。
【００３１】
図１８において左側面301の前方には図示しないヒンジ機構により、軸ｂを中心に回動して本体１０に対し開閉可能なパネル部701を備えている。
【００３２】
図２より本体部10のレンズ面501には撮影レンズ511及び該撮影レンズ511の近傍に右MIC521と左MIC522が備えられている。右手姿勢にて撮影された場合、右MIC521は撮影者からみて右側の音を強く収音し、左MIC522は左側の音を強く収音するものである。
【００３３】
図６は右手姿勢において本体部10をレンズ面から見た正面図である。
【００３４】
図６に示すように該右MIC521と該左MIC522はレンズ光軸を通る鉛直線aを挟んで撮影者からみて右側に右MIC521、撮影者から見て左側に左MIC522が配置されており、鉛直線aに対し略左右対称の位置にある。また、図９は左手姿勢での斜視図であるが、図９に示すように該右MIC521と該左MIC522は左手姿勢においても鉛直線aをはさんで略左右対称に配置されている。
【００３５】
図２、図４で示すように右側面401は右手姿勢においては本体部１０の撮影者側から見て右側部に配置されて右手によって把持される面となる。一方図10に示すように本体１０を天地逆にした左手姿勢にしたときは本体部１０の背面から見て左側部に配置されて、左手によって把持される部分となる。したがって、右側面401は、右手姿勢としたときにおいても、左手姿勢としたときにおいても、使用者の利き手によって把持される共通の部分となっている。また右手姿勢及び左手姿勢において手の甲にはグリップベルト411が調節可能（図示せず）に当接し、安定した撮影を可能としている。
【００３６】
図１３は本発明のビデオカメラにおける左手姿勢／右手姿勢仕様設定の処理を示すフローチャートである。
【００３７】
図１０、図４に示すようにパネル部701には記録画像、再生画像を表示する画像表示部711を備えている。またパネル部701の画像表示部近傍にはスライド式の姿勢選択スイッチ部721を備えている。図１３に示すステップＳ1にしめすように姿勢選択スイッチ部721は指針７２２と指針７２３の二つのポジションを選択可能である。
【００３８】
図１３のステップＳ2に示すように右手姿勢で撮影する場合、姿勢選択スイッチ７２１は指針７２２のポジションにあわせておく。
【００３９】
図１３のステップＳ3に示すように左手手姿勢で撮影する場合、姿勢選択スイッチ７２１は指針７２３のポジションにあわせておく。姿勢選択スイッチ721が指針７２２を指している場合、本カメラ１０の設定は右手姿勢用の設定となる。また姿勢選択スイッチ721が指針７２３を指している場合、本カメラ１０の設定は左手姿勢用の設定となる。
【００４０】
図１３のステップS4、ステップS5、にあるように撮影された画像、音声は画像音声テーブルに基づき処理され、ステップS6、ステップS7にあるように背面601に配置された操作部材はスイッチ設定設定テーブルによって設定される。
【００４１】
図１３のステップＳ4，ステップＳ5に示す画像音声設定テーブルを図１１に示す。
【００４２】
図１１に示すように右手姿勢時では画像、音声ともに撮影時のデータをそのまま記録する。
【００４３】
左手姿勢時では本体１０が１８０度回転した状態で撮影されるため、そのままで記録すると、モニターやテレビジョンにて再生を行ったときに画面が180度回転してしまう。本発明では撮影画像を１８０度回転し処理をおこない記録する。また、左手姿勢時においてはMICの位置が左右逆転するため、右MIC５２１で収音された音声は左MICの音として記録し、左MIC522で収音された音声は右MICの音声として処理後に記録する。
【００４４】
図１３のＳ6、Ｓ７に示す画像音声設定テーブルを図１２に示す。
【００４５】
図７に本体部１０の背面を示す、パネル部７０１は本体部１０に対し開状態である。図７に示すように背面部６０１の略中央部には撮影時に画角を操作するズームレバー６２１が鉛直方向にレバー操作可能に配置されている。このためズームレバー621は右手姿勢においても左手姿勢においても親指根元からの距離が略同一となり、右手親指でも左手親指でも操作が可能である。
【００４６】
図１５に示すようにズームレバー６２１をA-B方向に回動することでレンズを望遠または広角に操作する。図12に示すように、該ズームレバー６２１は左手姿勢時と右手姿勢時によりA側、B側に倒した時の機能が入れ替わる。このためズームレバー621両姿勢において上方にZOOMレバー621を動かすことで望遠になり右手使用時でも左手使用時でも感覚的に操作方向が変わらず使いやすい。
【００４７】
図４に示すように中央部をはさんでお互い略対角の位置にボタン631とボタン632が備えられている。ボタン631とボタン632は撮影時に使用する操作ボタンであり、両ボタンとも左手姿勢、右手姿勢において親指操作が可能である。画像音声設定テーブルを図１２にしめすように本体の右手姿勢か左手姿勢かによってお互いの機能が入れ替わるため、たとえば両姿勢において左下が動画トリガー、右上に静止画レリーズというボタン配置が可能であり、右手使用時でも左手使用時でも操作に違和感を感じない。
【００４８】
図４に示すように本体の電源OFF及び撮影モードか再生モードかを決める３つのポジションを選択切り替えが可能なモードレバー611が中央より右側面401よりに鉛直方向に切り替え可能に配置してあり、指針６１２、指針６１３、指針６１４のいずれかの位置にあわせることで、撮影モードか、電源を切るか、再生モードか、を選択できる。
【００４９】
指針６１２、指針６１４の機能は画像音声設定テーブルを図１２にしめすように右手姿勢か左手姿勢かによりお互いの機能が入れ替わるこのため、両姿勢において上側に指針に合わせると再生モードにはいり、下側の指針に合わせると撮影モードにはいり撮影者が間違えることがない。
【００５０】
本実施例ではズームレバー６２１は回動操作であるが、図１６、図１７に本発明のズームレバーの第二の形態を示す。図１７は背面斜視図である。図１６は左側面３０１側から見た側面図である。図に示すようにズームレバー６２５は背面略中央部を通る任意の軸６２６を支点とし、かつ背面６０１の略中央に配置された揺動操作が可能なシーソーレバーである。このような動作形態でも構わない。
【００５１】
図１７に本発明のズームレバーの第三の形態を示す。図１７に示すように背面６０１の略中央に配置し光軸と略並行な軸628を中心として回転運動を行う操作部材であってもかまわない。
【００５２】
以上のように本発明により、コストアップせず、機器を大きくすることもなく、左利きでも右利きでも同様の操作感で撮影操作を行うことができる。
【符号の説明】
【００５３】
1  カメラ
10  本  体部
101  上面
201  底面
301  左側面
302  バッテリー収納部
303  カード収納部
351  メモリーカード
361  バッテリー
401  右側面
411  グリップベルト
501  レンズ面
511  撮影レンズ
521  右MIC
522  左MIC
601  背面
601a  背面部幅
601b  背面部高さ
611  モードレバー
612  指針
613  指針
614  指針
621  ズームレバー
625  第2の形態のズームレバー
626  第2の形態のズームレバーの揺動軸
627  第3の形態のズームレバー
628  第3の形態のズームレバーの揺動軸
631  撮影ボタン
632  静止画トリガー
624  第三の形態のズームレバーの回転軸
701  パネル部
711  画像表示部
721  姿勢選択スイッチ部
722  指針
723  指針
a  光軸を通る鉛直軸
b  表示部の開閉軸
【図１】
2012123076.tif 000003
【図２】
2012123076.tif 000004
【図３】
2012123076.tif 000005
【図４】
2012123076.tif 000006
【図５】
2012123076.tif 000007
【図６】
2012123076.tif 000008
【図７】
2012123076.tif 000009
【図８】
2012123076.tif 000010
【図９】
2012123076.tif 000011
【図１０】
2012123076.tif 000012
【図１１】
2012123076.tif 000013
【図１２】
2012123076.tif 000014
【図１３】
2012123076.tif 000015
【図１４】
2012123076.tif 000016
【図１５】
2012123076.tif 000017
【図１６】
2012123076.tif 000018
【図１７】
2012123076.tif 000019
【図１８】
2012123076.tif 000020
【図１９】
2012123076.tif 000021
【図２０】
2012123076.tif 000022